(57)【要約】【課題】移動端末がコアネットワーク側と接続する際に無線基地局が使用するメッセージを使用して新たなサービスを移動端末のユーザに提供することが可能な通信システムを提供する。【解決手段】超小型無線基地局（100）は、移動端末（UE1）をコアネットワーク側に接続する際に使用する所定のメッセージを使用した場合に、サービスを起動するためのサービス起動メッセージをサービス提供サーバ（200）に送信する。サービス提供サーバ（200）は、超小型無線基地局（100）からサービス起動メッセージを受け付けた場合に、所定のサービスを移動端末（UE1）のユーザに提供する。【選択図】図１
2010239381.tif 000002
【特許請求の範囲】
【請求項１】
移動端末をコアネットワーク側に接続する無線基地局であって、
移動端末をコアネットワーク側に接続する際に使用する所定のメッセージを前記無線基地局が使用した場合に、サービスを起動するためのサービス起動メッセージをサービス提供装置に送信し、前記サービス提供装置から所定のサービスを前記移動端末のユーザに提供する制御手段を有することを特徴とする無線基地局。
【請求項２】
前記所定のメッセージを管理する管理手段を有し、
前記制御手段は、
前記移動端末をコアネットワーク側に接続する際に前記無線基地局が使用したメッセージが前記管理手段で管理する所定のメッセージに該当した場合に、前記サービス起動メッセージを前記サービス提供装置に送信することを特徴とする請求項１記載の無線基地局。
【請求項３】
前記管理手段は、
前記所定のメッセージを前記移動端末毎に管理し、
前記制御手段は、
前記移動端末をコアネットワーク側に接続する際に前記無線基地局が使用したメッセージが前記管理手段で管理する前記移動端末に対応する所定のメッセージに該当した場合に、前記サービス起動メッセージを前記サービス提供装置に送信することを特徴とする請求項２記載の無線基地局。
【請求項４】
前記制御手段は、
前記移動端末をコアネットワーク側に接続する際に前記無線基地局が使用したメッセージが前記管理手段で管理する所定のメッセージに該当してから所定時間が経過しても、前記移動端末が前記無線基地局の配下に在圏している場合に、前記サービス起動メッセージを前記サービス提供装置に送信することを特徴とする請求項２または３記載の無線基地局。
【請求項５】
前記制御手段は、
前記所定のメッセージに含まれる情報をコピーし、該コピーした情報を含んだメッセージを前記サービス起動メッセージとして前記サービス提供装置に送信し、前記サービス提供装置から前記サービス起動メッセージに含まれる情報に応じた所定のサービスを前記移動端末のユーザに提供するように制御することを特徴とする請求項１から４の何れか１項に記載の無線基地局。
【請求項６】
前記制御手段は、
前記所定のメッセージ自体を前記サービス起動メッセージとして前記サービス提供装置に送信し、前記サービス提供装置から前記所定のメッセージに応じた所定のサービスを前記移動端末のユーザに提供するように制御することを特徴とする請求項１から４の何れか１項に記載の無線基地局。
【請求項７】
前記管理手段は、
前記サービス提供装置から所定のサービスを前記移動端末のユーザに提供するように前記サービス提供装置を制御するための情報を、前記所定のメッセージに対応付けて管理し、
前記制御手段は、
前記所定のメッセージに対応付けて前記管理手段で管理されている前記情報を含んだメッセージを前記サービス起動メッセージとして前記サービス提供装置に送信し、前記サービス提供装置から前記サービス起動メッセージに含まれる情報に応じた所定のサービスを前記移動端末のユーザに提供するように制御することを特徴とする請求項２から４の何れか１項に記載の無線基地局。
【請求項８】
前記管理手段で管理する所定のメッセージを設定する設定手段を有することを特徴とする請求項２から７の何れか１項に記載の無線基地局。
【請求項９】
コアネットワーク側に接続する移動端末の加入者情報を管理する加入者管理手段を有し、
前記制御手段は、
前記加入者管理手段で管理する加入者情報の移動端末のみをコアネットワーク側に接続するように制御することを特徴とする請求項１から８の何れか１項に記載の無線基地局。
【請求項１０】
前記サービス提供装置を前記無線基地局に実装したことを特徴とする請求項１から９の何れか１項に記載の無線基地局。
【請求項１１】
所定のサービスを移動端末のユーザに提供するサービス提供装置であって、
前記移動端末をコアネットワーク側に接続する際に使用する所定のメッセージを無線基地局が使用した場合に当該無線基地局から送信されてくるサービス起動メッセージを受け付けた場合に、所定のサービスを前記移動端末のユーザに提供する制御手段を有することを特徴とするサービス提供装置。
【請求項１２】
前記制御手段は、
前記サービス起動メッセージに応じた所定のサービスを前記移動端末のユーザに提供することを特徴とする請求項１１記載のサービス提供装置。
【請求項１３】
前記制御手段は、
前記サービス起動メッセージに含まれる所定の情報に応じた所定のサービスを前記移動端末のユーザに提供することを特徴とする請求項１１記載のサービス提供装置。
【請求項１４】
移動端末と、前記移動端末をコアネットワーク側に接続する無線基地局と、所定のサービスを前記移動端末のユーザに提供するサービス提供装置と、を有して構成する通信システムであって、
前記無線基地局は、
前記移動端末をコアネットワーク側に接続する際に使用する所定のメッセージを使用した場合に、サービスを起動するためのサービス起動メッセージをサービス提供装置に送信する制御手段を有し、
前記サービス提供装置は、
前記サービス起動メッセージを受け付けた場合に、所定のサービスを前記移動端末のユーザに提供する制御手段を有することを特徴とする通信システム。
【請求項１５】
移動端末をコアネットワーク側に接続する無線基地局で行う制御方法であって、
移動端末をコアネットワーク側に接続する際に使用する所定のメッセージを前記無線基地局が使用した場合に、サービスを起動するためのサービス起動メッセージをサービス提供装置に送信し、前記サービス提供装置から所定のサービスを前記移動端末のユーザに提供する制御工程を有することを特徴とする制御方法。
【請求項１６】
所定のサービスを移動端末のユーザに提供するサービス提供装置で行う制御方法であって、
前記移動端末をコアネットワーク側に接続する際に使用する所定のメッセージを無線基地局が使用した場合に当該無線基地局から送信されてくるサービス起動メッセージを受け付けた場合に、所定のサービスを前記移動端末のユーザに提供する制御工程を有することを特徴とする制御方法。
【請求項１７】
移動端末をコアネットワーク側に接続する無線基地局のコンピュータに実行させるプログラムであって、
移動端末をコアネットワーク側に接続する際に使用する所定のメッセージを前記無線基地局が使用した場合に、サービスを起動するためのサービス起動メッセージをサービス提供装置に送信し、前記サービス提供装置から所定のサービスを前記移動端末のユーザに提供する制御処理を、前記コンピュータに実行させることを特徴とするプログラム。
【請求項１８】
所定のサービスを移動端末のユーザに提供するサービス提供装置のコンピュータに実行させるプログラムであって、
前記移動端末をコアネットワーク側に接続する際に使用する所定のメッセージを無線基地局が使用した場合に当該無線基地局から送信されてくるサービス起動メッセージを受け付けた場合に、所定のサービスを前記移動端末のユーザに提供する制御処理を、前記コンピュータに実行させることを特徴とするプログラム。
【発明の詳細な説明】
【技術分野】
【０００１】
本発明は、移動端末がコアネットワーク側と接続する際に無線基地局が使用するメッセージを使用して新たなサービスを移動端末のユーザに提供することが可能な技術に関する。
【背景技術】
【０００２】
移動端末が特定エリアに進入した際に、特定のサービスを開始するシステムとして、例えば、移動端末のモバイルネットワークを利用したシステムがある（例えば、特許文献１参照）。
【０００３】
上記特許文献１のシステムは、図１１に示すように、移動通信交換機1と、移動通信交換機1に接続された複数の無線基地局10,20,30と、移動通信交換機1に接続されたデータベース5と、を有して構成する。そして、データベース5は、ユーザ識別子毎にサービス起動条件情報を記録しており、無線基地局（例えば、10）のサービスエリア内に移動端末2が進入した際に、その無線基地局10が、移動通信交換機1に位置登録情報を送信する。移動通信交換機1は、データベース5を用いて、ユーザ識別子に対応するサービス起動条件情報を検索する。移動通信交換機1は、位置登録情報がサービス起動条件情報に該当する場合に、サービス起動条件情報に基づくサービスを起動する。これにより、上記特許文献１では、移動端末2が特定エリアに進入した際に、特定のサービスを起動することを可能にしている。
【０００４】
しかし、上記特許文献１の方法では、移動通信交換機1からサービスを提供するため、既存の移動通信交換機1等のコアネットワーク側を改良する必要がある。また、サービスを起動するためには、コアネットワーク側で情報の送受信を行うことになるため、コアネットワーク側での処理に負荷がかかることになる。
【０００５】
このため、既存の移動通信交換機1等のコアネットワーク側を改良することなく、特定のサービスを起動することが可能なシステムの開発が要望視されることになる。
【０００６】
また、近年では、通信エリアの品質向上を図るべく、フェムトセル用基地局を導入した通信システムの開発が進められている（例えば、特許文献２、３参照）。
【０００７】
フェムトセル用基地局は、半径数十メートル程度の狭い通信エリアをカバーする超小型無線基地局であり、家庭やオフィス等の室内に設置し、室内の通信エリアをカバーすることを目的としている。これにより、既存のマクロセル用基地局がカバーできない通信エリアの通信品質を改善することを可能にしている。また、マクロセル用基地局のインフラ整備にコストをかけずに通信エリアをカバーすることを可能にしている。
【０００８】
このフェムトセル用基地局を用いることで、既存の移動通信交換機を改良することなく、特定のサービスを起動することが可能と考えられる。このため、例えば、フェムトセル用基地局を用いて、利用者が自宅に出入りするタイミングで屋内機器を制御する技術について開示された文献がある（例えば、特許文献４参照）。
【０００９】
上記特許文献４は、屋内に微小なサービスエリアを有するフェムト基地局2を設け、屋内機器制御サーバ3が、端末IDと各端末の所在のエリア内／外を示す所在の状態とを記憶する登録端末データベースと、屋内機器の動作とその動作のトリガとしての各端末の所在の状態とを対応付けて規定する制御機器データベースと、を記憶する。そして、フェムト基地局2がエリア内に出入りした端末1のIDと出／入の情報とを屋内機器制御サーバ3に送信し、屋内機器制御サーバ3は、受信情報に基づいて登録端末データベースの状態を更新し、更新された状態が制御機器データベースのトリガに一致すると、当該トリガに対応して記憶されている動作となるよう屋内機器4を制御することにしている。
【先行技術文献】
【特許文献】
【００１０】
【特許文献１】特開２００３−１４３６３４号公報
【特許文献２】特表２００９−５０４０４９号公報
【特許文献３】特表２００９−５０４０５１号公報
【特許文献４】特開２００８−２８３６４８号公報
【発明の概要】
【発明が解決しようとする課題】
【００１１】
しかし、上記特許文献４の技術では、フェムト基地局2は、エリア内に出入りした端末1のIDと出／入の情報とを屋内機器制御サーバ3に送信し、屋内機器制御サーバ3は、その情報を基に、屋内機器4を制御することにしている。
【００１２】
このため、上記特許文献４の技術では、端末がエリア内に出入りしたことの判断条件でしか屋内機器4を制御することができない。
【００１３】
また、上記特許文献４には、フェムト基地局2が通信時に使用しているメッセージを使用して屋内機器4を制御する点については何ら記載も示唆もされていない。
【００１４】
本発明は、上記事情に鑑みてなされたものであり、上述した課題である、移動端末がコアネットワーク側と接続する際に無線基地局が使用するメッセージを使用して新たなサービスを移動端末のユーザに提供することが可能な無線基地局、サービス提供装置、通信システム、制御方法及びプログラムを提供することを目的とする。
【課題を解決するための手段】
【００１５】
かかる目的を達成するために、本発明は、以下の特徴を有することとする。
【００１６】
＜無線基地局＞
本発明にかかる無線基地局は、
移動端末をコアネットワーク側に接続する無線基地局であって、
移動端末をコアネットワーク側に接続する際に使用する所定のメッセージを前記無線基地局が使用した場合に、サービスを起動するためのサービス起動メッセージをサービス提供装置に送信し、前記サービス提供装置から所定のサービスを前記移動端末のユーザに提供する制御手段を有することを特徴とする。
【００１７】
＜サービス提供装置＞
本発明にかかるサービス提供装置は、
所定のサービスを移動端末のユーザに提供するサービス提供装置であって、
前記移動端末をコアネットワーク側に接続する際に使用する所定のメッセージを無線基地局が使用した場合に当該無線基地局から送信されてくるサービス起動メッセージを受け付けた場合に、所定のサービスを前記移動端末のユーザに提供する制御手段を有することを特徴とする。
【００１８】
＜通信システム＞
本発明にかかる通信システムは、
移動端末と、前記移動端末をコアネットワーク側に接続する無線基地局と、所定のサービスを前記移動端末のユーザに提供するサービス提供装置と、を有して構成する通信システムであって、
前記無線基地局は、
前記移動端末をコアネットワーク側に接続する際に使用する所定のメッセージを使用した場合に、サービスを起動するためのサービス起動メッセージをサービス提供装置に送信する制御手段を有し、
前記サービス提供装置は、
前記サービス起動メッセージを受け付けた場合に、所定のサービスを前記移動端末のユーザに提供する制御手段を有することを特徴とする。
【００１９】
＜制御方法＞
本発明にかかる制御方法は、
移動端末をコアネットワーク側に接続する無線基地局で行う制御方法であって、
移動端末をコアネットワーク側に接続する際に使用する所定のメッセージを前記無線基地局が使用した場合に、サービスを起動するためのサービス起動メッセージをサービス提供装置に送信し、前記サービス提供装置から所定のサービスを前記移動端末のユーザに提供する制御工程を有することを特徴とする。
【００２０】
本発明にかかる制御方法は、
所定のサービスを移動端末のユーザに提供するサービス提供装置で行う制御方法であって、
前記移動端末をコアネットワーク側に接続する際に使用する所定のメッセージを無線基地局が使用した場合に当該無線基地局から送信されてくるサービス起動メッセージを受け付けた場合に、所定のサービスを前記移動端末のユーザに提供する制御工程を有することを特徴とする。
【００２１】
＜プログラム＞
本発明にかかるプログラムは、
移動端末をコアネットワーク側に接続する無線基地局のコンピュータに実行させるプログラムであって、
移動端末をコアネットワーク側に接続する際に使用する所定のメッセージを前記無線基地局が使用した場合に、サービスを起動するためのサービス起動メッセージをサービス提供装置に送信し、前記サービス提供装置から所定のサービスを前記移動端末のユーザに提供する制御処理を、前記コンピュータに実行させることを特徴とする。
【００２２】
本発明にかかるプログラムは、
所定のサービスを移動端末のユーザに提供するサービス提供装置のコンピュータに実行させるプログラムであって、
前記移動端末をコアネットワーク側に接続する際に使用する所定のメッセージを無線基地局が使用した場合に当該無線基地局から送信されてくるサービス起動メッセージを受け付けた場合に、所定のサービスを前記移動端末のユーザに提供する制御処理を、前記コンピュータに実行させることを特徴とする。
【発明の効果】
【００２３】
本発明によれば、移動端末がコアネットワーク側と接続する際に無線基地局が使用するメッセージを使用して新たなサービスを移動端末のユーザに提供することができる。
【図面の簡単な説明】
【００２４】
【図１】本実施形態の通信システムの概要を説明するための図である。
【図２】第１の実施形態の通信システムのシステム構成例を示す第１の図である。
【図３】第１の実施形態の通信システムの処理動作例を示す第１の図である。
【図４】第１の実施形態の通信システムのシステム構成例を示す第２の図である。
【図５】第１の実施形態の通信システムの処理動作例を示す第２の図である。
【図６】第２の実施形態の通信システムのシステム構成例を示す第１の図である。
【図７】第２の実施形態の通信システムの処理動作例を示す第１の図である。
【図８】第２の実施形態の通信システムのシステム構成例を示す第２の図である。
【図９】第２の実施形態の通信システムの処理動作例を示す第２の図である。
【図１０】第５の実施形態の通信システムのシステム構成例を示す図である。
【図１１】本発明と関連する先行技術を説明するための図である。
【発明を実施するための形態】
【００２５】
＜通信システムの概要＞
まず、図１を参照しながら、本実施形態の通信システムの概要について説明する。
【００２６】
本実施形態の通信システムは、移動端末（UE1）と、移動端末（UE1）をコアネットワーク側に接続する無線基地局（超小型無線基地局100に相当）と、所定のサービスを移動端末（UE1）のユーザに提供するサービス提供装置（サービス提供サーバ200に相当）と、を有して構成する通信システムである。
【００２７】
本実施形態の無線基地局100は、移動端末UE1をコアネットワーク側に接続する際に使用する所定のメッセージを使用した場合に、サービスを起動するためのサービス起動メッセージをサービス提供装置200に送信する。
【００２８】
サービス提供装置200は、無線基地局100からサービス起動メッセージを受け付けた場合に、所定のサービスを移動端末UE1のユーザに提供する。
【００２９】
所定のサービスとしては、例えば、移動端末UE2にメールを送信する。また、家電機器500を起動する。なお、サービス提供装置200は、外部サービス提供サーバ400にサービスの要求を送信し、外部サービス提供サーバ400が所定のサービスを行うように構築することも可能である。
【００３０】
これにより、本実施形態の通信システムは、移動端末UE1がコアネットワーク側と接続する際に無線基地局100が使用するメッセージを使用して新たなサービスを移動端末UE1のユーザに提供することが可能となる。以下、添付図面を参照しながら、本実施形態の通信システムについて詳細に説明する。
【００３１】
（第１の実施形態）
＜通信システムの構成＞
【００３２】
まず、図２を参照しながら、本実施形態の通信システムのシステム構成例について説明する。
【００３３】
本実施形態の通信システムは、移動端末UE（User Equipment）1,UE2と、超小型無線基地局100と、サービス提供サーバ200と、SIP（Session Initiation Protocol）サーバシステム300と、セキュリティGW301と、外部サービス提供サーバ400と、を有して構成する。
【００３４】
本実施形態の通信システムを構成するネットワークNWは、各装置間で情報通信が可能であれば、特に限定せず、様々なネットワーク構成が適用可能である。
【００３５】
超小型無線基地局100は、ネットワークNWを介してSIPサーバシステム300に接続している。また、サービス提供サーバ200とローカルに接続している。
【００３６】
超小型無線基地局100は、半径数十メートル程度の狭い通信エリアをカバーする無線基地局である。超小型無線基地局100は、制御部101と、通信部102と、アンテナ103と、加入者情報管理部104と、サービス管理部105と、を有して構成する。
【００３７】
アンテナ103,通信部102は、超小型無線基地局100の通信エリアに存在する移動端末UE1と通信を行う。
【００３８】
制御部101は、超小型無線基地局100を制御する。例えば、コアネットワーク側に存在するSIPサーバシステム300と通信を行ったり、サービス提供サーバ200と通信を行ったりする。
【００３９】
加入者情報管理部104は、加入者情報を管理する。加入者情報としては、移動端末UEのIMSI（IMSI.UE）等が挙げられる。加入者情報の管理方法としては、例えば、White Listに加入者情報を登録し、そのWhite Listの加入者情報に該当する特定の移動端末UEのみをコアネットワーク側に接続する方法が挙げられる。これにより、加入者情報管理部104で管理する加入者情報に該当する特定の移動端末UEのみをコアネットワーク側に接続させることができる。なお、コアネットワーク側に接続する加入者情報を特定することが可能であれば、White Listに限定せず、Black Listを用いることも可能である。
【００４０】
サービス管理部105は、サービスを開始するメッセージを管理する。サービス管理部105で管理するメッセージは、超小型無線基地局100が通信時に使用しているメッセージである。超小型無線基地局100は、サービス管理部105で管理しているメッセージを通信時に使用した場合に、サービスを起動するためのサービス起動メッセージをサービス提供サーバ200に送信する。サービス起動メッセージには、移動端末UEを特定するためのIMSI.UE、移動端末UEの状態を特定するための状態情報を含めてサービス提供サーバ200に送信する。IMSI.UEや、状態情報は、超小型無線基地局100が通信時に使用している所定のメッセージ（例えば、SIP−REGISTER）の中に含まれているため、超小型無線基地局100は、その所定のメッセージに含まれる情報をコピーし、そのコピーした情報を含めたサービス起動メッセージをサービス提供サーバ200に送信する。あるいは、その所定のメッセージをそのままサービス起動メッセージとしてサービス提供サーバ200に送信する。サービス管理部105は、複数のメッセージを管理し、超小型無線基地局100は、そのサービス管理部105で管理されているメッセージを通信時に使用した場合に、サービス起動メッセージをサービス提供サーバ200に送信することで、超小型無線基地局100は、複数のサービス起動メッセージをサービス提供サーバ200に送信することができる。この場合、サービス提供サーバ200は、サービス起動メッセージ（または、サービス起動メッセージに含まれる情報）に応じた所定のサービスを移動端末UEのユーザに提供することで、複数のサービスを移動端末UEのユーザに提供することができる。また、サービス管理部105は、サービスを開始するメッセージを移動端末UEのIMSI（IMSI.UE）と対応付けて管理することで、サービスを開始するメッセージを各移動端末UE毎に異ならせて管理することができる。
【００４１】
SIPサーバシステム300は、SIPを用いたセッション制御、管理、ルーティング等の機能を行う。
【００４２】
セキュリティGW301は、超小型無線基地局100とネットワークNWを介してセキュアな情報交換を可能にする。
【００４３】
サービス提供サーバ200は、超小型無線基地局100とローカルに接続し、サービス起動メッセージを超小型無線基地局100から受け付けた場合に、所定のサービスを開始する。
【００４４】
サービス提供サーバ200は、制御部201と、サービス管理部202と、を有して構成する。
【００４５】
制御部201は、サービス提供サーバ200を制御する。例えば、超小型無線基地局100と通信を行ったり、外部サービス提供サーバ400と通信を行ったりする。
【００４６】
サービス管理部202は、サービス内容を管理する。サービス管理部202で管理するサービス内容としては、例えば、サービス提供サーバ200と接続した家電機器500を制御する。また、外部サービス提供サーバ400にサービスを要求し、外部サービス提供サーバ400から所定のサービスを提供するように制御する。サービス管理部202は、超小型無線基地局100から送信されるサービス起動メッセージに含まれる情報（移動端末UE1を特定するためのIMSI.UE、移動端末UE1の状態を特定するための状態情報）と、サービス内容と、を対応付けて管理し、サービス提供サーバ200は、超小型無線基地局100から送信されるサービス起動メッセージに含まれる情報と対応付けられたサービス内容を移動端末UEのユーザに提供するように制御する。これにより、サービス提供サーバは、サービス起動メッセージに含まれる情報に応じた所定のサービスを移動端末UEのユーザに提供することができる。
【００４７】
移動端末UE1,UE2は、携帯電話機、PHS、PC等の通信機器である。移動端末UE1,UE2は、超小型無線基地局100を介してネットワークNWに接続したり、既存のマクロセル用基地局（図示せず）を介してネットワークNWに接続したりする。
【００４８】
本実施形態の通信システムは、移動端末UE1が超小型無線基地局100の通信エリア内に移動した場合に、移動端末UE1は、超小型無線基地局100を介してコアネットワーク側に存在するSIPサーバシステム300と接続し、SIPサーバシステム300が提供する音声通話等の通常のサービスを利用する。
【００４９】
更に、本実施形態の通信システムは、上記の通常のサービス利用に加え、超小型無線基地局100は、コアネットワーク側との通信時に使用する所定のメッセージを使用した場合に、サービスを起動するためのサービス起動メッセージをサービス提供サーバ200に通知する。サービス提供サーバ200は、超小型無線基地局100からサービス起動メッセージを受け付けた場合に、そのサービス起動メッセージに応じた所定のサービスを開始する。
【００５０】
これにより、本実施形態の通信システムでは、移動端末UE1が超小型無線基地局100を介してコアネットワーク側と接続し、特定のメッセージの送受信を行った場合に、特定のサービスを移動端末UE1のユーザに提供することが可能となる。
【００５１】
＜通信システムの処理動作＞
次に、図２、図３を参照しながら、本実施形態の通信システムの処理動作について説明する。図３は、位置登録の処理動作を示す図である。図３の点線枠内の処理動作が本実施形態で行うサービス提供の処理動作を示し、点線枠外の処理動作が通常の位置登録の処理動作を示す。
【００５２】
なお、以下の説明では、超小型無線基地局100とセキュリティGW301との間でIPsec Tunnelが確立しているものとする（ステップA0）。
【００５３】
また、超小型無線基地局100のサービス管理部105には、移動端末UE1のIMSI.UEと、SIP-REGISTERと、が対応付けて管理されているものとして説明する。このため、超小型無線基地局100は、SIP-REGISTERのメッセージを通信時に使用した場合に、サービス起動メッセージをサービス提供サーバ200に送信する。本処理動作では、サービス起動メッセージとして、SIP-REGISTERを使用する。
【００５４】
移動端末UE1は、LAI（Location Area Information）の更新（normal location updating）を行う場合に、Location Update Requestを超小型無線基地局100に送信する（ステップA11）。
【００５５】
超小型無線基地局100は、Location Update Requestを受信した場合に、移動端末UE1が通信エリアに進入したことを検知する（ステップA10）。
【００５６】
超小型無線基地局100は、Location Update Requestに含まれるIMSI.UEを基に、加入者情報管理部104を参照し、IMSI.UEがコアネットワーク側に受け入れるユーザに該当するか否かを判定する（ステップA12）。IMSI.UEは、移動端末UE1を特定するための情報である。
【００５７】
超小型無線基地局100は、IMSI.UEが加入者情報管理部104で管理する加入者情報に該当する場合は、コアネットワーク側に受け入れるユーザに該当すると判断し、IDENTITY Requestを移動端末UE1に送信する（ステップA21）。
【００５８】
移動端末UE1は、IDENTITY Requestを受信した場合に、IDENTITY Responseを超小型無線基地局100に送信する（ステップA22）。移動端末UE1は、IMSI.UEをIDENTITY Responseに含めて送信する。IMSI.UEは、移動端末UE1を特定するための情報である。
【００５９】
超小型無線基地局100は、IDENTITY Responseを受信した場合に、IDENTITY Responseに含まれるIMSI.UEと、超小型無線基地局100を特定するための情報（IMSI.Femto）と、を基にコアネットワーク側に存在するSIPサーバシステム300と通信を行い、認証処理を行う（ステップA23）。ステップA23の認証処理は、RFC 4187、3GPP TS 33.234 V8.00等に開示された方式と同様であるため、具体的な処理については割愛する。
【００６０】
超小型無線基地局100は、コアネットワーク側と認証処理を行うことで、移動端末UE1の認証時に使用するRAND/AUTN/CK/IKをコアネットワーク側から取得する。RANDは、Random challengeであり、AUTNは、Authentication Tokenであり、CKは、Cipher Keyであり、IKは、Integrity Keyである。
【００６１】
超小型無線基地局100は、RAND/AUTNをAuthentication Requestに含めて移動端末UE1に送信する（ステップA24）。
【００６２】
移動端末UE1は、Authentication Requestを受信した場合に、そのAuthentication Requestに含まれているRAND/AUTNを基に、認証演算を行う（ステップA25）。認証演算は、3GPPに準拠した方法で行う。
【００６３】
移動端末UE1は、RESを算出し、その算出したRESをAuthentication Responseに含めて超小型無線基地局100に送信する（ステップA26）。RESの算出は、3GPPに準拠した方法で行う。
【００６４】
超小型無線基地局100は、Authentication Responseを受信した場合に、コアネットワーク側に存在するSIPサーバシステム300と通信を行い、移動端末UE1の認証処理を行う（ステップA27）。
【００６５】
超小型無線基地局100は、移動端末UE1の認証処理が成功した場合に（認証OK）、IMSI.UEをSIP-REGISTERに含めてコアネットワーク側に存在するSIPサーバシステム300に送信し（ステップA31）、移動端末UE1の位置登録を行う（ステップA30）。
【００６６】
具体的には、SIPサーバシステム300は、コアネットワーク側に存在するHSS（Home Subscriber Server)、HLR/AuC（Home Location Register/Authentication Centre）等と通信を行い、移動端末UE1の加入者情報をHSSのVLRに登録する。SIPサーバシステム300は、移動端末UE1の位置登録が完了した場合に、MSISDNを含めたSIP-200 OKを超小型無線基地局100に送信する（ステップA32）。
【００６７】
超小型無線基地局100は、SIP-200 OKを受信した場合に、Security Mode Commandを移動端末UE1に送信する（ステップA33）。
【００６８】
移動端末UE1は、Security Mode Commandを受信した場合に、秘匿を行う（ステップA34）。秘匿の処理は、3GPPに準拠した方法で行う。
【００６９】
移動端末UE1は、Security Mode Completeを超小型無線基地局100に送信する（ステップA35）。
【００７０】
超小型無線基地局100は、Security Mode Completeを受信した場合に、TMSI（Temporary Mobile Subscriber Identities）の補足を行う。TMSIの補足は、3GPPに準拠した方法で行う。また、超小型無線基地局100は、SIPサーバシステム300にSIP-SUBSCRIBEを送信し、超小型無線基地局100とSIPサーバシステム300との間で確認処理を行う（ステップA36）。
【００７１】
また、超小型無線基地局100は、TMSIが含まれたLocation Update Acceptを移動端末UE1に送信する（ステップA37）。
【００７２】
これにより、本実施形態の通信システムは、移動端末UE1が正規ユーザの場合は、CS（Circuit Switching）サービスの位置登録の際に、超小型無線基地局100を介して移動端末UE1の認証処理を行い（ステップA20）、HSSのVLRに移動端末UE1の加入者情報を登録し（ステップA30）、移動端末UE1の位置登録を行うことになる。
【００７３】
また、本実施形態の超小型無線基地局100は、サービス管理部105にSIP-REGISTERが移動端末UE1のIMSI.UEと対応付けて管理されているため、超小型無線基地局100は、ステップA31でコアネットワーク側にSIP-REGISTERを送信した場合に、そのSIP-REGISTERをサービス起動メッセージとしてサービス提供サーバ200に送信する（ステップA40）。
【００７４】
サービス提供サーバ200は、SIP-REGISTERを受信した場合に、SIP-200 OK（etc）を超小型無線基地局100に送信する（ステップA41）。
【００７５】
サービス提供サーバ200は、SIP-200 OKを送信した際にタイマーをセットし、所定時間が経過した場合に（ステップA50）、サービス管理部202を参照し、SIP-REGISTERに含まれる情報（移動端末UE1を特定するためのIMSI.UE、移動端末UE1の状態を特定するための状態情報）を基に、その情報に対応付けられた所定のサービスを開始する（ステップA60）。
【００７６】
サービスとしては、例えば、移動端末UE1を特定するためのIMSI.UE、移動端末UE1の状態を特定するための状態情報に対応付けてサービス管理部202に管理されている移動端末UE2にメールを送信する。
【００７７】
また、移動端末UE1を特定するためのIMSI.UE、移動端末UE1の状態を特定するための状態情報に対応付けてサービス管理部202に管理されている家電機器500を起動する。
【００７８】
なお、サービス提供サーバ200は、ネットワークNWに接続された外部サービス提供サーバ400にサービスの要求を送信し、外部サービス提供サーバ400が上記のサービス等を行うように構築することも可能である。
【００７９】
このように、本実施形態の通信システムでは、超小型無線基地局100は、移動端末UE1、コアネットワーク側のSIPサーバシステム300と通信を行っている際に使用している所定のメッセージ（上記処理では、SIP-REGISTER）を使用した場合に、その所定のメッセージ（SIP-REGISTER）をサービス起動用のメッセージとして使用する。これにより、超小型無線基地局100は、通常の通信時に使用しているメッセージを用いてサービスを開始することが可能となる。また、本実施形態では、SIPのメッセージのみを用いているため各装置間のメッセージの遣り取りを容易に行うことができ、各装置での処理の負荷を軽減することができる。
【００８０】
また、本実施形態の通信システムでは、超小型無線基地局100とローカルに接続されたサービス提供サーバ200から所定のサービスを移動端末UEのユーザに提供することが可能となるため、コアネットワーク側に存在する既存の装置を改良することなく、簡易な構成で新たなサービスを移動端末UEのユーザに提供することができる。また、超小型無線基地局100からサービス提供サーバ200にサービス起動用のメッセージを送信するだけで所定のサービスを移動端末UEのユーザに提供することができるため、コアネットワーク側への処理負荷も低減することができる。また、既存のメッセージを最大限に活用して所定のサービスを行うことができるため、開発コストを低減することができる。
【００８１】
また、超小型無線基地局100が通常の通信時に使用しているメッセージを用いて所定のサービスを開始することになるため、そのメッセージを送信する段階まで正常な処理が行われた場合にのみ所定のサービスを開始することが可能となる。
【００８２】
サービス提供サーバ200が提供するサービス例としては、以下のものが挙げられる。
【００８３】
家庭内に設置された超小型無線基地局100内に移動端末UE1を持つ子供が在圏（帰宅）し、超小型無線基地局100が移動端末UE1の位置登録要求（SIP-REGISTER）をコアネットワーク側に送信した場合に、その位置登録要求（SIP-REGISTER）をサービス提供装置200にも送信する。サービス提供装置200は、位置登録要求（SIP-REGISTER）を受信した場合に、その位置登録要求（SIP-REGISTER）に含まれる情報（移動端末UE1を特定するためのIMSI.UE、移動端末UE1の状態を特定するための状態情報）を基に、サービス管理部202を参照し、その位置登録要求（SIP-REGISTER）に含まれる情報に対応付けられた移動端末UE2を持つ母親に子供の帰宅を知らせるメールを送信する。
【００８４】
なお、上記処理では、SIP-REGISTERをサービス起動用のメッセージとして使用したが、超小型無線基地局100が通常使用しているメッセージの中で移動端末UE1の状態を特定することが可能なメッセージであれば、SIP-REGISTERに限定せず、あらゆるメッセージをサービス起動用のメッセージとして使用することが可能である。
【００８５】
また、サービス起動用のメッセージとして使用するメッセージを任意に設定可能にすることで、超小型無線基地局100の通信エリア内に所定時間以上在圏している移動端末のみにサービスを開始させるようにすることが可能となる。
【００８６】
また、上記処理では、サービス提供サーバ200は、SIP-200 OKを超小型無線基地局100に送信した際にタイマーをセットし、所定時間が経過した場合に（ステップA50）、SIP-REGISTERに含まれる情報（移動端末UE1を特定するためのIMSI.UE、移動端末UE1の状態を特定するための状態情報）を基に、その情報に対応付けられた所定のサービスを開始することにした（ステップA60）。しかし、タイマー機能を使用せず、サービス提供サーバ200は、SIP-REGISTERを超小型無線基地局100から受信した場合に、そのSIP-REGISTERに含まれる情報（移動端末UE1を特定するためのIMSI.UE、移動端末UE1の状態を特定するための状態情報）を基に、その情報に対応付けられた所定のサービスを開始することも可能である（ステップA60）。
【００８７】
また、上記処理では、超小型無線基地局100は、コアネットワーク側にSIP-REGISTERを送信した際に（ステップA31）、サービス提供サーバ200にもSIP-REGISTERを送信することにした（ステップA40）。しかし、コアネットワーク側にSIP-REGISTERを送信した際にタイマーをセットし、所定時間が経過しても、移動端末1に関するメッセージの遣り取りが超小型無線基地局100を介して行われている場合に、サービス提供サーバ200にもSIP-REGISTERを送信するように構築することも可能である（ステップA40）。これにより、超小型無線基地局100の通信エリアに移動端末UE1が所定時間以上在圏している場合に、所定のサービスを開始することが可能となる。その結果、例えば、公衆エリアに設置された超小型無線基地局100の通信エリアに移動端末UE1が所定時間以上在圏している場合に、その移動端末UE1のユーザに対し、広告やクーポンなどの情報をサービス提供サーバ200から送信するように構築することが可能となる。
【００８８】
また、サービス提供サーバ200のサービス管理部202は、サービス起動メッセージに含まれる情報（移動端末UEを特定するためのIMSI.UE、移動端末UEの状態を特定するための状態情報）と、サービス内容と、を対応付けて移動端末UE毎に複数管理することが好ましい。これにより、サービス提供サーバ200は、超小型無線基地局100からサービス起動メッセージを受け付けた場合に、サービス管理部202を参照し、サービス起動メッセージに含まれる情報（移動端末UEを特定するためのIMSI.UE、移動端末UEの状態を特定するための状態情報）に対応付けられたサービス内容を特定し、そのサービス内容のサービスを移動端末UEのユーザに提供することができる。また、サービス提供サーバ200は、移動端末UEの状態を特定するための状態情報に応じて、移動端末UEに対して様々なサービスを提供することができる。例えば、状態情報Aの場合は、移動端末UEのユーザにサービスAを提供し、状態情報Bの場合は、サービスBを提供し、状態情報Cの場合は、サービスCを提供することができる。
【００８９】
また、上記処理は、CSサービスの位置登録を例として説明したが、移動端末UE1がAttach Request、RA Update Request、Activate PDP Context Requestを送信した場合も、移動端末UE1が正規ユーザの場合は、超小型無線基地局100を介して、コアネットワーク側に存在するSIPサーバシステム300と通信処理を行うことになる。このため、図３と同様に、超小型無線基地局100は、通常の通信時に使用するメッセージを用いてサービスを開始することが可能となる。
【００９０】
＜発着信の処理動作例＞
次に、図４、図５を参照しながら、発着信の処理動作例について説明する。
【００９１】
図４に示す通信システムは、図２に示すシステム構成と同様に構成し、着信側となる移動端末UE2も超小型無線基地局100-2を介してコアネットワーク側に存在するSIPサーバシステム300に接続するように構成している。そして、図５に示すように、超小型無線基地局100-1の通信エリア内で移動端末UE1が発信を行い、超小型無線基地局100-2の通信エリア内の移動端末UE2が着信を行うことになる。図５の点線枠内の処理動作が本実施形態で行うサービス提供の処理動作を示し、点線枠外の処理動作が通常の発着信の処理動作を示す。
【００９２】
なお、以下の説明では、超小型無線基地局100-1とセキュリティGW301-1との間でIPsec Tunnelが確立しており、超小型無線基地局100-2とセキュリティGW301-2との間でIPsec Tunnelが確立しているものとする（ステップB0）。
【００９３】
また、超小型無線基地局100-1のサービス管理部105には、移動端末UE1のIMSI.UEと、ALERT,PRACK,200 OKと、が対応付けて管理されているものとして説明する。このため、超小型無線基地局100-1は、ALERT,PRACK,200 OKのメッセージを通信時に使用した場合に、サービス起動メッセージをサービス提供サーバ200-1に送信する。本処理動作では、ALERTに含まれる情報（移動端末UE1を特定するためのIMSI.UE、移動端末UE1の状態を特定するための状態情報）をコピーし、そのコピーした情報を含めたSIP-Notifyをサービス起動メッセージとしてサービス提供サーバ200-1に送信する。
【００９４】
また、超小型無線基地局100-2のサービス管理部105には、移動端末UE2のIMSI.UEと、ALERT,180 Ringing PRACK,200 OKと、が対応付けて管理されているものとする。このため、超小型無線基地局100-2は、ALERT,180 Ringing PRACK,200 OKのメッセージを通信時に使用した場合に、サービス起動メッセージをサービス提供サーバ200-2に送信する。本処理動作では、ALERTに含まれる情報（移動端末UE2を特定するためのIMSI.UE、移動端末UE2の状態を特定するための状態情報）をコピーし、そのコピーした情報を含めたSIP-Notifyをサービス起動メッセージとしてサービス提供サーバ200-2に送信する。
【００９５】
発信側の移動端末UE1は、発信を開始する場合に、移動端末UE1と超小型無線基地局101-1との間でメッセージを送受信し（CM Service Request, Security Mode Command, Security Mode Complete）、3G無線秘匿を行う（ステップB10）。
【００９６】
次に、移動端末UE1は、SETUPを超小型無線基地局100-1に送信し、超小型無線基地局100-1は、INVITEによりSIPサーバシステム300と、着信側の移動端末UE2の超小型無線基地局100-2と、のセッションを確立する（ステップB20）。
【００９７】
超小型無線基地局100-2は、SIPサーバシステム300とのセッションを確立した後に、着信側の移動端末UE2にPagingを送信する。
【００９８】
移動端末UE2は、Pagingを受信した場合に、超小型無線基地局100-2とメッセージを送受信し（Paging Response, Security Mode Command, Security Mode Complete）、3G無線秘匿を行い、超小型無線基地局100-2とセッションを確立する（SETUP）（ステップB30）。
【００９９】
着信側の移動端末UE2は、CALLCONFを超小型無線基地局100-2に送信し、通話が可能であれば、発信側の移動端末UE1に呼び出しを開始する（ALERT,180 Ringing, ALERT）（ステップB40）。
【０１００】
そして、着信側の移動端末UE2は、発信側の移動端末UE1と呼接続した場合に、通話を開始する（CONNECT,200 OK,CONNECT,CONNECT ACK,ACK,CONNECT ACK,通話中）（ステップB50）。
【０１０１】
本実施形態の通信システムは、上述した発着信の処理動作に加えて、超小型無線基地局100-1は、ALERTを移動端末UE1に送信した場合に、そのALERTに含まれる情報（移動端末UE1を特定するためのIMSI.UE、移動端末UE1の状態を特定するための状態情報）をコピーして保持する。そして、PRACKをコアネットワーク側に送信した後に、コアネットワーク側から200 OKを受け付けた場合に、上記コピーした情報をSIP-Notifyに含めてサービス起動メッセージとしてサービス提供サーバ200-1に送信する（ステップB60）。
【０１０２】
サービス提供サーバ200-1は、SIP-Notifyを受信した場合に、SIP-200 OK（etc）を超小型無線基地局100-1に送信する（ステップB61）。
【０１０３】
サービス提供サーバ200-1は、SIP-200 OKを送信した際にタイマーをセットし、所定時間が経過した場合に（ステップB70）、サービス管理部202を参照し、SIP-Notifyに含まれる情報（移動端末UE1を特定するためのIMSI.UE、移動端末UE1の状態を特定するための状態情報）を基に、その情報に対応付けられた所定のサービスを開始する（ステップB80）。
【０１０４】
また、着信側の超小型無線基地局100-2も発信側の超小型無線基地局100-1と同様に、移動端末UE2からALERTを受信した場合に、そのALERTに含まれる情報（移動端末UE2を特定するためのIMSI.UE、移動端末UE2の状態を特定するための状態情報）をコピーして保持する。そして、180 Ringingをコアネットワーク側に送信し、コアネットワーク側からPRACKを受信し、200 OKをコアネットワーク側に送信した場合に、上記コピーした情報をSIP-Notifyに含めてサービス起動メッセージとしてサービス提供サーバ200-2に送信する（ステップB90）。
【０１０５】
サービス提供サーバ200-2は、SIP-Notifyを受信した場合に、SIP-200 OK（etc）を超小型無線基地局100-2に送信する（ステップB91）。
【０１０６】
サービス提供サーバ200-2は、SIP-200 OKを送信した際にタイマーをセットし、所定時間が経過した場合に（ステップB100）、サービス管理部202を参照し、SIP-Notifyに含まれる情報（移動端末UE2を特定するためのIMSI.UE、移動端末UE2の状態を特定するための状態情報）を基に、その情報に対応付けられた所定のサービスを開始する（ステップB110）。
【０１０７】
このように、本実施形態の通信システムでは、発信側の超小型無線基地局100-1は、移動端末UE1、コアネットワーク側のSIPサーバシステム300と発信動作を行っている際に使用している所定のメッセージ（上記処理では、ALERT）に含まれる情報（移動端末UE1を特定するためのIMSI.UE、移動端末UE1の状態を特定するための状態情報）をコピーし保持する。そして、超小型無線基地局100-1は、移動端末UE1、コアネットワーク側のSIPサーバシステム300と発信動作を行っている際に使用している所定のメッセージ（上記処理では、ALERT,180 Ringing PRACK,200 OK）を使用した場合に、上記のコピーした情報（移動端末UE1を特定するためのIMSI.UE、移動端末UE1の状態を特定するための状態情報）を含めたメッセージ（上記処理では、SIP-Notify）をサービス起動用のメッセージとしてサービス提供サーバ200-1に送信する。これにより、発信側の超小型無線基地局100-1は、通常の発信動作時に使用している所定のメッセージ（上記処理では、ALERT）の情報をコピーして保持し、所定のメッセージ（上記処理では、ALERT,180 Ringing PRACK,200 OK）を使用した場合に、上記コピーした情報を含むメッセージを用いてサービスを開始することが可能となる。
【０１０８】
また、超小型無線基地局100-1が通常の発信動作時に使用しているメッセージを用いてサービスを開始することになるため、そのメッセージを送信する段階まで正常な発信動作が行われた場合にのみ所定のサービスを開始することが可能となる。
【０１０９】
また、着信側の超小型無線基地局100-2も発信側の超小型無線基地局100-1と同様に着信動作時に使用しているメッセージを用いてサービスを開始することが可能となる。また、着信側の超小型無線基地局100-2がサービスを開始するためのメッセージを送信する段階まで正常な着信動作が行われた場合にのみ所定のサービスを開始することが可能となる。
【０１１０】
（第２の実施形態）
次に、第２の実施形態について説明する。
【０１１１】
第１の実施形態の通信システムは、図２、図４に示すように、超小型無線基地局100のコアネットワーク側にSIPサーバシステム300が存在するシステム構成とし、超小型無線基地局100がSIPサーバシステム300と通信時に使用するメッセージを用いて所定のサービスを開始することにした。
【０１１２】
第２の実施形態の通信システムは、図６に示すように、超小型無線基地局100のコアネットワーク側にモバイルオペレータネットワーク700が存在するシステム構成とし、超小型無線基地局100がモバイルオペレータネットワーク700と通信時に使用するメッセージを用いて所定のサービスを開始する。これにより、コアネットワーク側のシステム構成が異なる場合でも、超小型無線基地局100がコアネットワーク側の機器と通信時に使用するメッセージを用いて所定のサービスを開始することが可能となる。
【０１１３】
＜通信システムのシステム構成例＞
まず、図６を参照しながら、本実施形態の通信システムのシステム構成例について説明する。
【０１１４】
本実施形態の通信システムでは、超小型無線基地局100は、RAN GW600を介してモバイルオペレータネットワーク700と接続している。
【０１１５】
本実施形態の通信システムは、超小型無線基地局100のコアネットワーク側に存在するネットワークシステムが第１の実施形態のようにSIPサーバシステム300ではなく、モバイルオペレータネットワーク700である点が異なり、他の構成は、第１の実施形態のシステム構成と同様に構成している。
【０１１６】
＜通信システムの処理動作＞
次に、図６、図７を参照しながら、本実施形態の通信システムの処理動作について説明する。図７は、位置登録の処理動作を示す図である。図７の点線枠内の処理動作が本実施形態で行うサービス提供の処理動作を示し、点線枠外の処理動作が通常の位置登録の処理動作を示す。
【０１１７】
なお、以下の説明では、超小型無線基地局100とRAN GW600との間でIPsec Tunnelが確立しているものとする（ステップC0）。
【０１１８】
また、超小型無線基地局100のサービス管理部105には、移動端末UE1のIMSI.UEと、CR（INITIAL UE MESSAGE）と、コピーフラグと、が対応付けて管理されているものとして説明する。コピーフラグは、コピーするメッセージを特定するための情報である。このため、超小型無線基地局100は、CR（INITIAL UE MESSAGE）のメッセージを通信時に使用した場合に、CR（INITIAL UE MESSAGE）のメッセージの情報をコピーすることになる。また、超小型無線基地局100のサービス管理部105には、移動端末UE1のIMSI.UEと、MAP_UPDATE LOCATIONと、サービス開始フラグと、が対応付けて管理されているものとして説明する。サービス開始フラグは、サービスを開始するメッセージを特定するための情報である。このため、超小型無線基地局100は、MAP_UPDATE LOCATIONのメッセージを通信時に使用した場合に、上記コピーした情報を含めたサービス起動メッセージをサービス提供サーバ200に送信することになる。本処理動作では、SIP-REGISTERをサービス起動メッセージとしてサービス提供サーバ200に送信する。
【０１１９】
超小型無線基地局100は、Location Update Requestを受信した場合に、移動端末UE1が通信エリアに進入したことを検知する（ステップC10）。
【０１２０】
超小型無線基地局100は、Location Update Requestに含まれるIMSI.UEを基に、加入者情報管理部104を参照し、IMSI.UEがコアネットワーク側に受け入れるユーザに該当するか否かを判定する（ステップC12）。
【０１２１】
超小型無線基地局100は、IMSI.UEが加入者情報管理部104で管理する加入者情報に該当する場合は、コアネットワーク側に受け入れるユーザに該当すると判断し、コアネットワーク側に存在するRAN GW600にCR（INITIAL UE MESSAGE（LOCATION UPDATING REQUEST））を送信する（ステップC21）。
【０１２２】
RAN GW600は、CR（INITIAL UE MESSAGE（LOCATION UPDATING REQUEST））を受信した場合に、認証処理を行う（ステップC22）。認証処理は、3GPPに準拠した方法で行う。
【０１２３】
超小型無線基地局100は、コアネットワーク側と認証処理を行うことで、移動端末UE1の認証時に使用するRAND/AUTN/CK/IKをコアネットワーク側から取得する。
【０１２４】
超小型無線基地局100は、RAND/AUTNをAuthentication Requestに含めて移動端末UE1に送信する（ステップC23）。
【０１２５】
移動端末UE1は、Authentication Requestを受信した場合に、そのAuthentication Requestに含まれているRAND/AUTNを基に、認証演算を行う（ステップC24）。認証演算は、3GPPに準拠した方法で行う。
【０１２６】
移動端末UE1は、RESを算出し、その算出したRESをAuthentication Responseに含めて超小型無線基地局100に送信する（ステップC25）。RESの算出は、3GPPに準拠した方法で行う。
【０１２７】
超小型無線基地局100は、Authentication Responseを受信した場合に、コアネットワーク側に存在するモバイルオペレータネットワーク700と通信を行い、移動端末UE1の認証処理を行う（ステップC26）。
【０１２８】
超小型無線基地局100は、移動端末UE1の認証処理が成功した場合に（認証OK）、IMSI.UEをMAP-UPDATE LOCATIONに含めてコアネットワーク側に存在するモバイルオペレータネットワーク700に送信し（ステップC31）、移動端末UE1の位置登録を行う（ステップC30）。
【０１２９】
具体的には、モバイルネットワーク700、RAN GW600は、コアネットワーク側に存在する移動前のMSC、移動後のMSC、HLR/AuC等と通信を行い、移動端末UE1の加入者情報を移動前のMSCのVLRから削除し、移動後のMSCのVLRに登録する（ステップC32）。モバイルオペレータネットワーク700は、移動端末UE1の位置登録が完了した場合に、MSISDNを含めたMAP-UPDATE LOCATION ACKを超小型無線基地局100に送信する（ステップC33）。
【０１３０】
超小型無線基地局100は、MAP-UPDATE LOCATION ACKを受信した場合に、Security Mode Commandを移動端末UE1に送信する（ステップC34）。
【０１３１】
移動端末UE1は、Security Mode Commandを受信した場合に、秘匿を行う（ステップC35）。秘匿の処理は、3GPPに準拠した方法で行う。
【０１３２】
移動端末UE1は、Security Mode Completeを超小型無線基地局100に送信する（ステップC36）。
【０１３３】
超小型無線基地局100は、Security Mode Completeを受信した場合に、TMSI（Temporary Mobile Subscriber Identities）の補足を行う。TMSIの補足は、3GPPに準拠した方法で行う。また、超小型無線基地局100は、TMSIが含まれたLocation Update Acceptを移動端末UE1に送信する（ステップC37）。
【０１３４】
これにより、移動端末UE1が正規ユーザの場合は、CS（Circuit Switching）サービスの位置登録の際に、超小型無線基地局100を介して移動端末UE1の認証処理を行い（ステップC20）、モバイルオペレータネットワーク700に存在するMSCのVLRに移動端末UE1の加入者情報を登録することになる（ステップC30）。
【０１３５】
また、本実施形態の超小型無線基地局100は、サービス管理部105に、移動端末UE1のIMSI.UEと、CR（INITIAL UE MESSAGE）と、コピーフラグと、が対応付けて管理されているため、超小型無線基地局100は、CR（INITIAL UE MESSAGE）のメッセージを通信時に使用した場合に、CR（INITIAL UE MESSAGE）のメッセージの情報（移動端末UE1を特定するためのIMSI.UE、移動端末UE1の状態を特定するための状態情報）をコピーして保持することになる。また、サービス管理部105に、移動端末UE1のIMSI.UEと、MAP_UPDATE LOCATIONと、サービス開始フラグと、が対応付けて管理されているため、超小型無線基地局100は、MAP_UPDATE LOCATIONのメッセージを通信時に使用した場合に、上記コピーした情報（移動端末UE1を特定するためのIMSI.UE、移動端末UE1の状態を特定するための状態情報）をSIP-REGISTERに含めてサービス起動メッセージとしてサービス提供サーバ200に送信する（ステップC40）。
【０１３６】
サービス提供サーバ200は、SIP-REGISTERを受信した場合に、200 OK（etc）を超小型無線基地局100に送信する（ステップC41）。
【０１３７】
サービス提供サーバ200は、200 OK（etc）を送信した際にタイマーをセットし、所定時間が経過した場合に（ステップC50）、サービス管理部202を参照し、SIP-REGISTERに含まれる情報（移動端末UE1を特定するためのIMSI.UE、移動端末UE1の状態を特定するための状態情報）を基に、その情報に対応付けられた所定のサービスを開始する（ステップC60）。
【０１３８】
このように、本実施形態の通信システムでは、超小型無線基地局100は、移動端末UE1、コアネットワーク側のモバイルオペレータネットワーク700と通信を行っている際に使用している所定のメッセージ（上記処理では、CR（INITIAL UE MESSAGE））を使用した場合に、その所定のメッセージに含まれる情報（移動端末UE1を特定するためのIMSI.UE、移動端末UE1の状態を特定するための状態情報）をコピーして保持する。そして、超小型無線基地局100は、移動端末UE1、コアネットワーク側のモバイルオペレータネットワーク700と通信を行っている際に使用している所定のメッセージ（上記処理では、MAP_UPDATE LOCATION）を使用した場合に、上記コピーした情報（移動端末UE1を特定するためのIMSI.UE、移動端末UE1の状態を特定するための状態情報）を含むメッセージ（上記処理では、SIP-REGISTER）をサービス起動用のメッセージとしてサービス提供サーバ200に送信する。これにより、超小型無線基地局100は、通常の通信時に使用しているメッセージを用いてサービスを開始することが可能となる。
【０１３９】
また、超小型無線基地局100が通常の通信時に使用しているメッセージを用いてサービスを開始することになるため、そのメッセージを送信する段階まで正常な処理が行われた場合にのみ所定のサービスを開始することが可能となる。
【０１４０】
なお、上記処理では、超小型無線基地局100は、SIPのメッセージをサービス起動用のメッセージとして使用した。しかし、MAP_UPDATE LOCATIONをサービス起動用のメッセージとして使用するように構築することも可能である。この場合、サービス提供サーバ200は、Diameterプロトコルを認識できるように構築する必要がある。
【０１４１】
＜発着信の処理動作例＞
次に、図８、図９を参照しながら、発着信の処理動作例について説明する。
【０１４２】
図８に示す通信システムは、図６に示すシステム構成と同様に構成し、着信側となる移動端末UE2も超小型無線基地局100-2を介してコアネットワーク側に存在するモバイルオペレータネットワーク700に接続するように構成している。そして、図９に示すように、超小型無線基地局100-1の通信エリア内で移動端末UE1が発信を行い、超小型無線基地局100-2の通信エリア内の移動端末UE2が着信を行うことになる。図９の点線枠内の処理動作が本実施形態で行うサービス提供の処理動作を示し、点線枠外の処理動作が通常の発着信の処理動作を示す。
【０１４３】
なお、以下の説明では、超小型無線基地局100-1とRAN GW600-1との間でIPsec Tunnelが確立しており、超小型無線基地局100-2とRAN GW600-2との間でIPsec Tunnelが確立しているものとする（ステップD0）。
【０１４４】
また、超小型無線基地局100-1のサービス管理部105には、移動端末UE1のIMSI.UEと、ALERTと、コピーフラグと、が対応付けて管理されているものとして説明する。このため、超小型無線基地局100-1は、ALERTのメッセージを通信時に使用した場合に、ALERTのメッセージの情報をコピーすることになる。また、サービス管理部105には、移動端末UE1のIMSI.UEと、ALERTと、サービス開始フラグと、が対応付けて管理されているものとして説明する。このため、超小型無線基地局100-1は、ALERTのメッセージを通信時に使用した場合に、上記コピーした情報を含めたメッセージをサービス起動メッセージとしてサービス提供サーバ200-2に送信することになる。本処理動作では、SIP-Notifyをサービス起動メッセージとしてサービス提供サーバ200-1に送信する。
【０１４５】
また、超小型無線基地局100-2のサービス管理部105には、移動端末UE2のIMSI.UEと、ALERTと、コピーフラグと、が対応付けて管理されているものとする。このため、超小型無線基地局100-2は、ALERTのメッセージを通信時に使用した場合に、ALERTのメッセージの情報をコピーすることになる。また、サービス管理部105には、移動端末UE2のIMSI.UEと、ALERTと、サービス開始フラグと、が対応付けて管理されているものとする。このため、超小型無線基地局100-2は、ALERTのメッセージを通信時に使用した場合に、上記コピーした情報を含めたメッセージをサービス起動メッセージとしてサービス提供サーバ200-2に送信することになる。本処理動作では、SIP-Notifyをサービス起動メッセージとしてサービス提供サーバ200-2に送信する。
【０１４６】
発信側の移動端末UE1は、発信を開始する場合に、超小型無線基地局100-1にCM Service Request（IMSI）を送信する。超小型無線基地局100-1は、CM Service Requestに含まれるIMSIがコアネットワーク側に受け入れるユーザに該当する場合に（ステップD10）、移動端末UE1、超小型無線基地局100-1、RAN GW600-1との間で認証処理を行い、移動端末UE1とモバイルオペレータネットワーク700とのセッションを確立する（ステップD20）。認証処理は、3GPPに準拠した方法で行う。
【０１４７】
次に、モバイルオペレータネットワーク700は、着信側の移動端末UE2にPagingを送信する。移動端末UE2は、Pagingを受信した場合に、超小型無線基地局100-2、RAN GW600-2、モバイルオペレータネットワーク700とメッセージを送受信し、認証処理、3G無線秘匿を行い、モバイルオペレータネットワーク700とセッションを確立する（SETUP）（ステップD30）。
【０１４８】
着信側の移動端末UE2は、CALLCONFを超小型無線基地局100-2に送信し、DTCH確立後に、発信側の移動端末UE1に呼び出しを開始する（ALERT）（ステップD40）。
【０１４９】
そして、着信側の移動端末UE2は、発信側の移動端末UE1と呼接続した場合に、通話を開始する（CONNECT,200 OK,CONNECT,CONNECT ACK,ACK,CONNECT ACK,通話中）（ステップD50）。
【０１５０】
本実施形態の通信システムは、上述した発着信の処理動作に加えて、超小型無線基地局100-1は、RAB ASSIGNMENT RESPONSEをコアネットワーク側に送信し、ALERTを移動端末UE1に送信した場合に、そのALERTに含まれる情報（移動端末UE1を特定するためのIMSI.UE、移動端末UE1の状態を特定するための状態情報）をコピーし、該コピーした情報を含むSIP-Notifyをサービス起動メッセージとしてサービス提供サーバ200-1に送信する（ステップD60）。
【０１５１】
サービス提供サーバ200-1は、SIP-Notifyを受信した場合に、SIP-200 OK（etc）を超小型無線基地局100-1に送信する（ステップD61）。
【０１５２】
サービス提供サーバ200-1は、SIP-200 OKを送信した際にタイマーをセットし、所定時間が経過した場合に（ステップD70）、サービス管理部202を参照し、SIP-Notifyに含まれる情報（移動端末UE1を特定するためのIMSI.UE、移動端末UE1の状態を特定するための状態情報）を基に、その情報に対応付けられた所定のサービスを開始する（ステップD80）。
【０１５３】
また、着信側の超小型無線基地局100-2も発信側の超小型無線基地局100-1と同様に、RAB ASSIGNMENT RESPONSEをコアネットワーク側から受信し、コアネットワーク側にALERTを送信した場合に、そのALERTに含まれる情報（移動端末UE2を特定するためのIMSI.UE、移動端末UE2の状態を特定するための状態情報）をコピーし、該コピーした情報を含むSIP-Notifyをサービス起動メッセージとしてサービス提供サーバ200-2に送信する（ステップD90）。
【０１５４】
サービス提供サーバ200-2は、SIP-Notifyを受信した場合に、SIP-200 OK（etc）を超小型無線基地局100-2に送信する（ステップD91）。
【０１５５】
サービス提供サーバ200-2は、SIP-200 OKを送信した際にタイマーをセットし、所定時間が経過した場合に（ステップD100）、サービス管理部202を参照し、SIP-Notifyに含まれる情報（移動端末UE2を特定するためのIMSI.UE、移動端末UE2の状態を特定するための状態情報）を基に、その情報に対応付けられた所定のサービスを開始する（ステップD110）。
【０１５６】
このように、本実施形態の通信システムでは、発信側の超小型無線基地局100-1は、移動端末UE1、コアネットワーク側のモバイルオペレータネットワーク700と発信動作を行っている際に使用している所定のメッセージ（上記処理では、ALERT）に含まれる情報をコピーし、該コピーした情報を含むメッセージ（上記処理では、SIP-Notify）をサービス起動用のメッセージとして使用する。これにより、発信側の超小型無線基地局100-1は、通常の発信動作時に使用しているメッセージを用いてサービスを開始することが可能となる。
【０１５７】
また、超小型無線基地局100-1が通常の発信動作時に使用しているメッセージを用いてサービスを開始することになるため、そのメッセージを送信する段階まで正常な発信動作が行われた場合にのみ所定のサービスを開始することが可能となる。
【０１５８】
また、着信側の超小型無線基地局100-2も発信側の超小型無線基地局100-1と同様に着信動作時に使用しているメッセージを用いてサービスを開始することが可能となる。また、着信側の超小型無線基地局100-2がサービスを開始するためのメッセージを送信する段階まで正常な着信動作が行われた場合にのみ所定のサービスを開始することが可能となる。
【０１５９】
なお、上記実施形態では超小型無線基地局100を例に説明したが、従来のマクロ用無線基地局から超小型無線基地局100へ発着信する場合も所定のサービスを開始することが可能である。
【０１６０】
（第３の実施形態）
次に、第３の実施形態について説明する。
【０１６１】
上述した実施形態では、超小型無線基地局100は、移動端末UE1、コアネットワーク側と通信を行っている際に使用している所定のメッセージに含まれる情報（移動端末UEを特定するためのIMSI.UE、移動端末UEの状態を特定するための状態情報）をコピーし、そのコピーした情報を含むメッセージをサービス起動用のメッセージとしてサービス提供サーバ200に送信することにした。
【０１６２】
第３の実施形態は、サービス起動用のメッセージに含める情報（移動端末UEを特定するためのIMSI.UE、移動端末UEの状態を特定するための状態情報）を、サービスを開始するメッセージと対応付けて予めサービス管理部105で管理する。そして、超小型無線基地局100は、サービス管理部105で管理しているメッセージを通信時に使用した場合に、そのメッセージに対応付けて管理されている情報（移動端末UEを特定するためのIMSI.UE、移動端末UEの状態を特定するための状態情報）をサービス起動メッセージに含めてサービス提供サーバ200に送信する。これにより、超小型無線基地局100は、通信時に使用しているメッセージに含まれる情報をコピーする処理を行わずに済むことが可能となる。
【０１６３】
（第４の実施形態）
次に、第４の実施形態について説明する。
【０１６４】
上述した実施形態では、超小型無線基地局100は、移動端末UEを特定するためのIMSI.UE、移動端末UEの状態を特定するための状態情報を含むメッセージをサービス起動用のメッセージとしてサービス提供サーバ200に送信し、サービス提供サーバ200は、そのメッセージに含まれる移動端末UEを特定するためのIMSI.UE、移動端末UEの状態を特定するための状態情報に応じた所定のサービスを移動端末UEのユーザに提供することにした。
【０１６５】
第４の実施形態では、超小型無線基地局100は、移動端末UEを特定するためのIMSI.UE、超小型無線基地局100を特定するためのIMSI.Femto、移動端末UEの状態を特定するための状態情報を含むメッセージをサービス起動用のメッセージとしてサービス提供サーバ200に送信し、サービス提供サーバ200は、そのメッセージに含まれる超小型無線基地局100を特定するためのIMSI.Femto、移動端末UEの状態を特定するための状態情報に応じた所定のサービスを移動端末UEのユーザに提供する。これにより、超小型無線基地局100に応じた所定のサービスをその超小型無線基地局100の配下に存在する移動端末UEに提供することができる。
【０１６６】
（第５の実施形態）
次に、第５の実施形態について説明する。
【０１６７】
上記の実施形態では、超小型無線基地局100とサービス提供サーバ200とはローカルに接続したシステム構成にした。
【０１６８】
第５の実施形態では、図１０に示すように、サービス提供サーバ200を超小型無線基地局100に搭載し、第１〜第４の実施形態と同様な処理動作を行う。この場合、超小型無線基地局100は、図３、図５、図７、図９に示す点線枠内の処理を超小型無線基地局100の内部で行うことになる。
【０１６９】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【０１７０】
例えば、本実施形態における通信システムは、3GPPのVersionには依存せずに処理を行うことが可能である。
【０１７１】
また、上述した本実施形態における通信システムを構成する各装置における制御動作は、ハードウェア、または、ソフトウェア、あるいは、両者の複合構成を用いて実行することも可能である。
【０１７２】
なお、ソフトウェアを用いて処理を実行する場合には、処理シーケンスを記録したプログラムを、専用のハードウェアに組み込まれているコンピュータ内のメモリにインストールして実行させることが可能である。あるいは、各種処理が実行可能な汎用コンピュータにプログラムをインストールして実行させることが可能である。
【０１７３】
例えば、プログラムは、記録媒体としてのハードディスクやROM（Read Only Memory）に予め記録しておくことが可能である。あるいは、プログラムは、リムーバブル記録媒体に、一時的、あるいは、永続的に格納（記録）しておくことが可能である。このようなリムーバブル記録媒体は、いわゆるパッケージソフトウエアとして提供することが可能である。リムーバブル記録媒体としては、フロッピー（登録商標）ディスク、CD-ROM（Compact Disc Read Only Memory）、MO（Magneto optical）ディスク、DVD（Digital Versatile Disc）、磁気ディスク、半導体メモリなどが挙げられる。
【０１７４】
なお、プログラムは、上述したようなリムーバブル記録媒体からコンピュータにインストールすることになる。また、ダウンロードサイトから、コンピュータに無線転送することになる。また、ネットワークを介して、コンピュータに有線で転送することになる。
【０１７５】
また、本実施形態における通信システムは、上記実施形態で説明した処理動作に従って時系列的に処理を実行するのみならず、処理を実行する装置の処理能力、あるいは、必要に応じて並列的にあるいは個別に処理を実行するように構築することも可能である。
【０１７６】
また、本実施形態における通信システムは、複数の装置の論理的集合構成にしたり、各構成の装置が同一筐体内に存在する構成にしたりするように構築することも可能である。
【産業上の利用可能性】
【０１７７】
本発明は、無線基地局を介した通信システムに適用可能である。
【符号の説明】
【０１７８】
ＵＥ１，ＵＥ２    移動端末
１００    超小型無線基地局
１０１    制御部
１０２    通信部
１０３    アンテナ
１０４    加入者情報管理部
１０５    サービス管理部
２００    サービス提供サーバ
２０１    制御部
２０２    サービス管理部
３００    SIPサーバシステム
３０１    セキュリティGW
４００    外部サービス提供サーバ
５００    家電機器
６００    RAN GW
７００    モバイルオペレータネットワーク
【図１】
2010239381.tif 000003
【図２】
2010239381.tif 000004
【図３】
2010239381.tif 000005
【図４】
2010239381.tif 000006
【図５】
2010239381.tif 000007
【図６】
2010239381.tif 000008
【図７】
2010239381.tif 000009
【図８】
2010239381.tif 000010
【図９】
2010239381.tif 000011
【図１０】
2010239381.tif 000012
【図１１】
2010239381.tif 000013